(57)【要約】【課題】給湯源からの給湯を停止した状態で湯側への吐水操作を行っても、流量操作に応じた一定の吐水量を吐水することができる湯水混合水栓装置を提供する。【解決手段】本発明の湯水混合水栓装置１は、給湯源から供給される湯が通過する通湯路と給水源から供給される水が通過する通水路を形成する通水路形成部材１０,１４と、この通水路形成部材の通湯路及び通水路のそれぞれから供給された湯と水を混合する湯水混合バルブ１６と、この湯水混合バルブの上流側に位置する通水路形成部材の通湯路の所定箇所を遮断し、この遮断した通水路形成部材の通湯路の所定箇所よりも下流側且つ湯水混合バルブよりも上流側に位置する通水路形成部材の通湯路の所定区間と通水路形成部材の通水路とを接続し、給湯源から所定区間の通湯路への給湯を停止して上記通水路から上記所定区間の通湯路へ給水する給湯停止手段１２と、を有する。【選択図】図６
2013159983.tif 000002
【特許請求の範囲】
【請求項１】
給湯源から供給される湯と給水源から供給される水を混合して湯水を吐止水するシングルレバー式の湯水混合水栓装置であって、
湯水を吐水する吐水口を形成するスパウトと、
給湯源から供給される湯が通過する通湯路と給水源から供給される水が通過する通水路を形成すると共に、これらの通湯路及び通水路のそれぞれを通過させて混合された湯水を上記スパウトに流出させる湯水混合路を形成する通水路形成部材と、
この通水路形成部材の通湯路及び通水路の下流側且つ上記通水路形成部材の湯水混合路の上流側に取り付けられて上記通水路形成部材の通湯路及び通水路のそれぞれから供給された湯と水を混合する湯水混合バルブと、
上記通水路形成部材の湯水混合路の湯水を通水状態又は止水状態に切り替えるように上記湯水混合バルブを操作するシングルレバー操作部であって、上記湯水混合バルブを湯側又は水側に操作することにより、上記湯水混合路の湯水の流量及び温度を調整する上記シングルレバー操作部と、
上記湯水混合バルブの上流側に位置する上記通水路形成部材の通湯路の所定箇所を遮断し、この遮断した上記通水路形成部材の通湯路の所定箇所よりも下流側且つ上記湯水混合バルブよりも上流側に位置する上記通水路形成部材の通湯路の所定区間と上記通水路形成部材の通水路とを接続し、上記給湯源から上記所定区間の通湯路への給湯を停止して上記通水路から上記所定区間の通湯路へ給水する給湯停止手段と、
を有することを特徴とする湯水混合水栓装置。
【請求項２】
上記給湯停止手段は、上記通水路形成部材に回動可能に取り付けられ、回動操作することにより上記通水路形成部材の通湯路を遮断状態又は非遮断状態に切り替えると共に、上記通水路形成部材の通湯路が遮断状態である場合には、上記通水路形成部材の通水路と上記所定区間の通湯路とを接続する切替バルブを備えている請求項１記載の湯水混合水栓装置。
【発明の詳細な説明】
【技術分野】
【０００１】
本発明は、湯水混合水栓装置に係り、特に、給湯源から供給される湯と給水源から供給される水を混合して湯水を吐止水するシングルレバー式の湯水混合水栓装置に関する。
【背景技術】
【０００２】
従来から、１つの操作ハンドルを操作することにより湯水の流量と温度を調整した湯水をスパウトの吐水口から吐止水することができる、いわゆる、シングルレバー式の湯水混合水栓装置として、例えば、特許文献１に記載されているように、給湯源から湯が供給される通湯路を遮断して湯の供給を停止すると共に、給水源から水が供給される通水路への水の供給のみを行うための切替ハンドルを備えたものが知られている。
このような節湯可能なシングルレバー式の湯水混合水栓装置においては、例えば、夏場等の湯をあまり利用しない時期においては、切替ハンドルの操作により給湯源から湯が供給される通湯路を遮断して湯の供給を停止することにより、湯の使用量をゼロにすることができるため、節湯効果が期待できる。
【先行技術文献】
【特許文献】
【０００３】
【特許文献１】特開２００３−３５３４号公報
【発明の概要】
【発明が解決しようとする課題】
【０００４】
しかしながら、従来のシングルレバー式の湯水混合水栓装置においては、切替ハンドルを操作することにより水のみを吐水する水モードに設定した状態で、レバーハンドルを湯側に全開になるように吐水操作を行っても、水が全く吐出されず、水栓装置の不具合や故障、断水等の異常が発生しているものと勘違いされる恐れがあるという問題がある。
また、このようにレバーハンドルによって湯側の開度を全開にして吐水が行われない状態で、レバーハンドルを水側に全開になるようにうっかり操作してしまうと、急激に大量の吐水が開始されるため、思わぬ事故を引き起こす可能性があるという問題がある。
さらに、切替ハンドルを水モード又は湯モードのいずれかに設定した状態でレバーハンドルを吐水操作した際には、水側又は湯側へ操作するレバーハンドルの操作方向に応じて吐水量も変化してしまうため、使い勝手も良くないという問題もある。
【０００５】
そこで、本発明は、上述した従来技術の問題を解決するためになされたものであり、給湯源からの給湯を停止した状態で湯側への吐水操作を行っても、流量操作に応じた一定の吐水量を吐水することができる湯水混合水栓装置を提供することを目的としている。
【課題を解決するための手段】
【０００６】
上記の目的を達成するために、本発明は、給湯源から供給される湯と給水源から供給される水を混合して湯水を吐止水するシングルレバー式の湯水混合水栓装置であって、湯水を吐水する吐水口を形成するスパウトと、給湯源から供給される湯が通過する通湯路と給水源から供給される水が通過する通水路を形成すると共に、これらの通湯路及び通水路のそれぞれを通過させて混合された湯水を上記スパウトに流出させる湯水混合路を形成する通水路形成部材と、この通水路形成部材の通湯路及び通水路の下流側且つ上記通水路形成部材の湯水混合路の上流側に取り付けられて上記通水路形成部材の通湯路及び通水路のそれぞれから供給された湯と水を混合する湯水混合バルブと、上記通水路形成部材の湯水混合路の湯水を通水状態又は止水状態に切り替えるように上記湯水混合バルブを操作するシングルレバー操作部であって、上記湯水混合バルブを湯側又は水側に操作することにより、上記湯水混合路の湯水の流量及び温度を調整する上記シングルレバー操作部と、上記湯水混合バルブの上流側に位置する上記通水路形成部材の通湯路の所定箇所を遮断し、この遮断した上記通水路形成部材の通湯路の所定箇所よりも下流側且つ上記湯水混合バルブよりも上流側に位置する上記通水路形成部材の通湯路の所定区間と上記通水路形成部材の通水路とを接続し、上記給湯源から上記所定区間の通湯路への給湯を停止して上記通水路から上記所定区間の通湯路へ給水する給湯停止手段と、を有することを特徴としている。
このように構成された本発明においては、給湯停止手段が通水路形成部材の通湯路の所定箇所を遮断している状態で、シングルレバー操作部を操作して湯水混合バルブを湯側に開弁したとしても、通水路形成部材の通湯路の所定箇所よりも下流側且つ湯水混合バルブよりも上流側に位置する通水路形成部材の通湯路の所定区間と通水路形成部材の通水路とが給湯停止手段により接続されるため、給湯源から通水路形成部材の通湯路の所定区間への給湯を停止し、この通水路形成部材の通湯路の所定区間に通水路形成部材の通水路から給水し、この通水路形成部材の通水路を通過した水と通水路形成部材の所定区間の通湯路を通過した水の双方を最終的にスパウトの吐水口から吐水することができる。すなわち、給湯源から通水路形成部材の通湯路の所定区間への給湯を停止した状態で湯水混合バルブを湯側に開弁したとしても、通水路形成部材の通湯路の所定区間と通水路形成部材の通水路の双方に給水源からの給水を行うため、スパウトの吐水口からシングルレバー操作部の流量操作に応じた一定の吐水量を吐水することができる。また、給湯源から通水路形成部材の通湯路の所定区間への給湯を停止した状態で、シングルレバー操作部を操作して湯水混合バルブを湯側に開弁したとしても、スパウトの吐水口から一定の吐水量を吐水させることができるため、スパウトの吐水口からの吐水が行われずに故障と勘違いされることを防ぐことができる。さらに、給湯源から通水路形成部材の通湯路の所定区間への給湯を停止し、シングルレバー操作部により湯水混合バルブを通過する吐水量を湯側に最大に設定し、スパウトの吐水口からの吐水が行われている状態でシングルレバー操作部を水側に操作したとしても、スパウトの吐水口で急激に大量の吐水が開始されることを防ぐこともできる。
【０００７】
本発明において、好ましくは、上記給湯停止手段は、上記通水路形成部材に回動可能に取り付けられ、回動操作することにより上記通水路形成部材の通湯路を遮断状態又は非遮断状態に切り替えると共に、上記通水路形成部材の通湯路が遮断状態である場合には、上記通水路形成部材の通水路と上記所定区間の通湯路とを接続する切替バルブを備えている。
このように構成された本発明においては、切替バルブを回動操作することにより、通水路形成部材の通湯路を遮断状態又は非遮断状態に簡単に切り替えことができると共に、通水路形成部材の通湯路が遮断状態である場合には、通水路形成部材の通水路と所定区間の通湯路とを簡単に接続することができる。
【発明の効果】
【０００８】
本発明の湯水混合水栓装置によれば、給湯源からの給湯を停止した状態で湯側への吐水操作を行っても、流量操作に応じた一定の吐水量を吐水することができる。
【図面の簡単な説明】
【０００９】
【図１】本発明の一実施形態による湯水混合水栓装置を示す概略斜視図である。
【図２】本発明の一実施形態による湯水混合水栓装置の湯／水モードの状態を示す側面図である。
【図３】本発明の一実施形態による湯水混合水栓装置の湯／水モードの状態を示す正面断面図である。
【図４】本発明の一実施形態による湯水混合水栓装置の湯／水モードの状態を示す平面図である。
【図５】本発明の一実施形態による湯水混合水栓装置の水／水モードの状態を示す側面図である。
【図６】本発明の一実施形態による湯水混合水栓装置の水／水モードの状態を示す正面断面図である。
【図７】本発明の一実施形態による湯水混合水栓装置の水／水モードの状態を示す平面図である。
【発明を実施するための形態】
【００１０】
以下、添付図面を参照して本発明の一実施形態による湯水混合水栓装置について説明する。
まず、図１は本発明の一実施形態による湯水混合水栓装置を斜め前方から見た概略斜視図であり、図２は本発明の一実施形態による湯水混合水栓装置の湯／水モードの状態を示す側面図であり、図３は本発明の一実施形態による湯水混合水栓装置の湯／水モードの状態を示す正面断面図であり、図４は本発明の一実施形態による湯水混合水栓装置の湯／水モードの状態を示す平面図である。
【００１１】
図１〜図４に示すように、本発明の一実施形態による湯水混合水栓装置１は、給湯源（図示せず）から供給される湯と給水源（図示せず）から供給される水を混合し、１つの操作ハンドル２を操作することにより湯水の流量と温度を調整した湯水をスパウト４の吐水口４ａから吐止水することができる、いわゆる、シングルレバー式の湯水混合水栓装置である。
【００１２】
すなわち、湯水混合水栓装置１は、台所のシンク又は洗面台のカウンター６上に配置され、操作ハンドル２を上方（図１に示されている矢印「開」の方向）に回動操作した場合には、スパウト４の吐水口４ａから吐出される湯水を吐水状態に設定することができるようになっており、操作ハンドル２をより上方に回動させた位置に設定する程、スパウト４の吐水口４ａから吐出される湯水の流量を大きく設定することができるようになっている。一方、操作ハンドル２を下方（図１に示されている矢印「閉」の方向）に回動操作した場合には、スパウト４の吐水口４ａから吐出される湯水を止水状態に設定することができるようになっている。
【００１３】
また、操作ハンドル２を図１及び図４に示されている右方向（図１に示されている矢印「Ｃ」の方向）に回動操作した場合には、スパウト４の吐水口４ａから吐出される湯水の温度を低温側に設定することができるようになっている。一方、操作ハンドル２を図１及び図４に示されている左方向（図１に示されている矢印「Ｈ」の方向）に回動操作した場合には、スパウト４の吐水口４ａから吐出される湯水の温度を高温側に設定することができるようになっている。
【００１４】
湯水混合水栓装置１は、カウンター６に取り付けられて固定された台座部材８と、この台座部材８に取り付けられた下側通水路形成部材１０と、この下側通水路形成部材１０に取り付けられた切替バルブ装置１２と、下側通水路形成部材１０の上方に取り付けられた上側通水路形成部材１４と、この上側通水路形成部材１４の上方に取り付けられた湯水混合バルブユニット１６と、この湯水混合バルブユニット１６の外周を取り囲むカバー部材１８とを備えている。
なお、切替バルブ装置１２の詳細については後述するが、この切替バルブ装置１２は、その上流側に位置する下側通水路形成部材１０の通湯路１０ａの途中の所定箇所を遮断し、この下側通水路形成部材１０の通湯路１０ａの遮断箇所よりも下流側且つ湯水混合バルブユニット１６よりも上流側に位置する下側通水路形成部材１０の通湯路１０ａ’の所定区間と下側通水路形成部材１０の通水路１０ｂとを接続することができるようになっている。これにより、給湯源（図示せず）から下側通水路形成部材１０の通湯路１０ａを経て通湯路１０ａ’への給湯を停止し、下側通水路形成部材１０の通水路１０ｂの通水の一部を通湯路１０ａ’へ供給することができるようになっている。
【００１５】
スパウト４は、その基端部に形成されて湯水混合水栓装置１の上側通水路形成部材１４の外周を取り囲むカバー部４ｂを備え、このカバー部４ｂは、湯水混合水栓装置１の鉛直方向に延びる中心軸線Ａを中心に図１及び図４に示されている右方向（図１及び図４に示されている矢印「Ｒ」の方向）と、図１及び図４に示されている左方向（図１及び図４に示されている矢印「Ｌ」の方向）に回動可能になっており、スパウト４の全体を湯水混合水栓装置１の中心軸線Ａを中心に旋回することができるようになっている。
【００１６】
つぎに、図３に示すように、湯水混合水栓装置１の下側通水路形成部材１０は、台座部材８に取り付けられた状態で給湯源（図示せず）及び給水源（図示せず）のそれぞれと連通する通湯路１０ａ及び通水路１０ｂを内部にそれぞれ形成している。
また、湯水混合水栓装置１の上側通水路形成部材１４は、下側通水路形成部材１０に取り付けられた状態で下側通水路形成部材１０の通湯路１０ａ及び通水路１０ｂのそれぞれと連通する通湯路１４ａ及び通水路１４ｂを内部にそれぞれ形成すると共に、これらの通湯路１４ａ及び通水路１４ｂのそれぞれを通過させて湯水混合バルブユニット１６の湯水混合室１６ａ内で混合された湯水をスパウト４に流出させる湯水混合路１４ｃを内部に形成している。
【００１７】
さらに、図３に示すように、カバー部材１８の上方の開口部１８ａにおいては、湯水混合バルブユニット１６の可動弁体２０を操作する湯水混合バルブユニット１６の操作軸部材２２が上方に貫いた状態となっており、この操作軸部材２２に操作ハンドル２の軸受け部２ａが固定して取り付けられている。
【００１８】
また、本実施形態の湯水混合水栓装置１に組み込まれている湯水混合バルブユニット１６の構造については、周知の湯水混合バルブユニットの構造と同様であるため、詳細な説明は省略するが、湯水混合バルブユニット１６は、ケーシング部材２４と、このケーシング部材２４の下端に固定されて固定弁体２６を下側から固定する固定弁体保持部材２８と、固定弁体２６と、この固定弁体２６の上部に摺動及び回転可能に配置された可動弁体２０と、この可動弁体２０の可動を操作する操作軸部材２２によって構成されている。
【００１９】
また、図２及び図３に示すように、固定弁体保持部材２８には、上側通水路形成部材１４の通湯路１４ａから供給される湯と上側通水路形成部材１４の通水路１４ｂから供給される水の各々が流入する通湯路２８ａ及び通水路２８ｂがそれぞれ形成されている。これらの通湯路２８ａ及び通水路２８ｂのそれぞれを通過した湯と水は、湯水混合室１６ａで混合され、この混合された湯水の流量と温度が調整されるようになっている。湯水混合室１６ａで調整された湯水は、湯水混合路（図示せず）から上側通水路形成部材１４の湯水混合路１４ｃへ流出するようになっている。さらに、上側通水路形成部材１４の湯水混合路１４ｃ内の湯水は、スパウト４の流入口４ｃから吐水口４ａに向って流れるようになっている。
【００２０】
つぎに、図１〜図７を参照して、本実施形態の湯水混合水栓装置１の切替バルブ装置１２の詳細について説明する。
図５は本発明の一実施形態による湯水混合水栓装置の水／水モードの状態を示す側面図であり、図６は本発明の一実施形態による湯水混合水栓装置の水／水モードの状態を示す正面断面図であり、図７は本発明の一実施形態による湯水混合水栓装置の水／水モードの状態を示す平面図である。
【００２１】
まず、図１〜図３、図５及び図６に示されているように、本実施形態の湯水混合水栓装置１の切替バルブ装置１２は、下側通水路形成部材１０の上流側の通湯路１０ａと下流側の通湯路１０ａ’との間に設けられて概ね円筒状のシリンダーバルブ３０と、このシリンダーバルブ３０の回動軸部３１に固定された切替レバー３２とを備えている。この切替レバー３２を図２に示す位置Ｐ１と図５に示す位置Ｐ２との間で回動軸線Ｂの回りに手動で回動操作することにより、シリンダーバルブ３０が回動軸線Ｂの回りに回動し、下側通水路形成部材１０の上流側の通湯路１０ａと下流側の通湯路１０ａ’とを連通する通湯路３０ａを開閉することができるようになっている。
すなわち、図１〜図４に示されているように、切替バルブ装置１２の切替レバー３２が上下方向に延びた姿勢になるような位置（以下「湯／水モード位置」）Ｐ１に設定されているときには、シリンダーバルブ３０が通湯路３０ａを開放し、下側通水路形成部材１０の上流側の通湯路１０ａと下流側の通湯路１０ａ’とが、シリンダーバルブ３０の通湯路３０ａを介して通湯している状態となっている。そして、下側通水路形成部材１０の上流側の通湯路１０ａからシリンダーバルブ３０の通湯路３０ａを経て下側通水路形成部材１０の下流側の通湯路１０ａ’から上側通水路形成部材１４の通湯路１４ａを通過した湯と、下側通水路形成部材１０の通水路１０ｂから上側通水路形成部材１４の通水路１４ｂを通過した水は、湯水混合バルブユニット１６の湯水混合室１６ａで互いに混合されて所定の流量及び所定の温度に設定され、上側通水路形成部材１４の湯水混合路１４ｃからスパウト４内を流れて吐水口４ａから吐水されるようになっている。
【００２２】
一方、図５〜図７に示すように、切替バルブ装置１２の切替レバー３２が水平方向に延びた姿勢になるような位置（以下「水／水モード位置」）Ｐ２に設定されているときには、下側通水路形成部材１０の上流側の通湯路１０ａと下流側の通湯路１０ａ’とが、シリンダーバルブ３０により遮断されると共に、下側通水路形成部材１０の下流側の通湯路１０ａ’と下側通水路形成部材１０の通水路１０ｂとが、シリンダーバルブ３０に形成された通水路３０ｂによって接続されて通水している状態となっている。
すなわち、切替バルブ装置１２は、切替レバー３２を水／水モード位置Ｐ２に設定した場合には、湯水混合バルブユニット１６の上流側に位置する下側通水路形成部材１０の通湯路１０ａと通湯路１０ａ’との間のシリンダーバルブ３０の通湯路３０ａを遮断し、給湯源（図示せず）から下側通水路形成部材１０の通湯路１０ａを経て通湯路１０ａ’への給湯を停止し、下側通水路形成部材１０の通水路１０ｂから通湯路１０ａ’へ給水する給湯停止手段として機能するようになっている。
そして、下側通水路形成部材１０の通水路１０ｂからシリンダーバルブ３０の通水路３０ｂを経て下側通水路形成部材１０の下流側の通湯路１０ａ’から上側通水路形成部材１４の通湯路１４ａを通過した水と、下側通水路形成部材１０の通水路１０ｂから上側通水路形成部材１４の通水路１４ｂを通過した水が、湯水混合バルブユニット１６の湯水混合室１６ａで合流し、上側通水路形成部材１４の湯水混合路１４ｃからスパウト４内を通過し、スパウト４の吐水口４ａから湯が吐水されることなく、水のみが吐水されるようになっている。
【００２３】
つぎに、上述した本発明の一実施形態による湯水混合水栓装置１の動作（作用）について説明する。
湯水混合水栓装置１を使用する際、図１〜図４に示すように、切替レバー３２を湯／水モード位置Ｐ１に設定した場合には、操作ハンドル２を矢印「開」の方向に引き上げ、必要に応じて、操作ハンドル２を矢印Ｈ又は矢印Ｃの方向に回動操作を行うと、上側通水路形成部材１４の通湯路１４ａ及び通水路１４ｂのそれぞれと湯水混合路１４ｃとが連通するように湯水混合バルブユニット１６の可動弁体２０が摺動及び／又は回転移動して開弁する。
このとき、給湯源（図示せず）から下側通水路形成部材１０の上流側の通湯路１０ａ、シリンダーバルブ３０の通湯路３０ａ及び下側通水路形成部材１０の下流側の通湯路１０ａ’を経て上側通水路形成部材１４の通湯路１４ａを通過した湯が固定弁体保持部材２８の通湯路２８ａを経て湯水混合室１６ａ内に流入し、給水源（図示せず）から下側通水路形成部材１０の通水路１０ｂを経て上側通水路形成部材１４の通水路１４ｂを通過した水が、固定弁体保持部材２８の通水路２８ｂを経て湯水混合室１６ａ内に流入する。そして、この湯水混合室１６ａ内で混合されて所定の流量で所定の温度に調整された湯水は、固定弁体保持部材２８の湯水混合路５０ｃを経て通水路形成部材１０の湯水混合路１０ｃからスパウト４の流入口４ｃに流入し、スパウト４の吐水口４ａから吐水される。
【００２４】
また、図４に示すように、操作ハンドル２を「開」の方向に引き上げて湯水混合バルブユニット１６が開弁した状態では、操作ハンドル２を湯側（矢印Ｈの方向）に回動操作する程、スパウト４の吐水口４ａから吐水される湯水の温度が高くなり、操作ハンドル２を湯側に最大に設定した状態Ｍ１では、スパウト４の吐水口４ａから湯が吐水される。
一方、操作ハンドル２を水側（矢印Ｃの方向）に回動操作する程、スパウト４の吐水口４ａから吐水される湯水の温度が低くなり、操作ハンドル２を水側に最大に設定した状態Ｍ２では、スパウト４の吐水口４ａから真水が吐水される。
【００２５】
つぎに、図５〜図７に示すように、切替レバー３２を水／水モード位置Ｐ２に設定した場合には、操作ハンドル２を「開」の方向に引き上げ、必要に応じて、操作ハンドル２を矢印Ｈ又は矢印Ｃの方向に回動操作を行うと、上側通水路形成部材１４の通湯路１４ａ及び通水路１４ｂのそれぞれと湯水混合路１４ｃとが連通するように湯水混合バルブユニット１６の可動弁体２０が摺動及び／又は回転移動して開弁する。
このとき、給湯停止手段である切替バルブ装置１２のシリンダーバルブ３０は、その通湯路３０ａを遮断している状態となり、下側通水路形成部材１０の下流側の通湯路１０ａ’と下側通水路形成部材１０の通水路１０ｂとがシリンダーバルブ３０の通水路３０ｂにより接続されるため、給湯源（図示せず）から下側通水路形成部材１０の下流側の通湯路１０ａ’への給湯が停止される。これと同時に、下側通水路形成部材１０の通水路１０ｂから上側通水路形成部材１４の通水路１４ｂへの給水が行われると共に、下側通水路形成部材１０の通水路１０ｂからシリンダーバルブ３０の通水路３０ｂを経て下側通水路形成部材１０の下流側の通湯路１０ａ’への給水が行われ、この下側通水路形成部材１０の下流側の通湯路１０ａ’から上側通水路形成部材１４の通湯路１４ａへの給水が行われる。
【００２６】
また、これらの下側通水路形成部材１０の通水路１０ｂから上側通水路形成部材１４の通水路１４ｂを通過した水と、下側通水路形成部材１０の通水路１０ｂからシリンダーバルブ３０の通水路３０ｂ及び下側通水路形成部材１０の下流側の通湯路１０ａ’を経て上側通水路形成部材１４の通湯路１４ａを通過した水の双方は、湯水混合バルブユニット１６の湯水混合室１６ａで合流し、上側通水路形成部材１４の湯水混合路１４ｃからスパウト４内を通過する。そして、最終的にスパウト４の吐水口４ａから操作ハンドル２の流量操作に応じた一定の吐水量の真水が吐水される。
【００２７】
なお、図７に示すように、給湯源（図示せず）から下側通水路形成部材１０の通湯路１０ａ’への給湯を停止した状態では、操作ハンドル２を湯側に最大に設定した状態Ｍ１から水側に最大に設定した状態Ｍ２までの操作ハンドル２の回動操作の領域で操作ハンドル２の流量操作に応じた一定の吐水量の真水が吐水される。
【００２８】
上述した本発明の一実施形態による湯水混合水栓装置１によれば、切替レバー３２を水／水モード位置Ｐ２に設定し、給湯停止手段である切替バルブ装置１２のシリンダーバルブ３０が通湯路３０ａを遮断している状態で、湯水混合バルブユニット１６を湯側に開弁操作したとしても、下側通水路形成部材１０の下流側の通湯路１０ａ’と下側通水路形成部材１０の通水路１０ｂとがシリンダーバルブ３０の通水路３０ｂにより接続されるため、給湯源（図示せず）から下側通水路形成部材１０の下流側の通湯路１０ａ’への給湯を停止し、下側通水路形成部材１０の通水路１０ｂから上側通水路形成部材１４の通水路１４ｂへ給水すると共に、下側通水路形成部材１０の通水路１０ｂからシリンダーバルブ３０の通水路３０ｂを経て下側通水路形成部材１０の下流側の通湯路１０ａ’から上側通水路形成部材１４の通湯路１４ａに給水することができる。
したがって、これらの下側通水路形成部材１０の通水路１０ｂから上側通水路形成部材１４の通水路１４ｂを通過した水と、下側通水路形成部材１０の通水路１０ｂからシリンダーバルブ３０の通水路３０ｂ及び下側通水路形成部材１０の下流側の通湯路１０ａ’を経て上側通水路形成部材１４の通湯路１４ａを通過した水の双方が、湯水混合バルブユニット１６の湯水混合室１６ａで合流し、上側通水路形成部材１４の湯水混合路１４ｃからスパウト４内を通過するため、スパウト４の吐水口４ａから混合湯水として吐水する代わりに、最終的にスパウト４の吐水口４ａから一定の吐水量を吐水することができる。
また、給湯源（図示せず）から下側通水路形成部材１０の通湯路１０ａ’と上側通水路形成部材１４の通湯路１４ａへの給湯を停止した状態で操作ハンドル２を操作して湯水混合バルブユニット１６を湯側に開弁したとしても、上側通水路形成部材１４の通湯路１４ａ及び通水路１４ｂの双方に給水源（図示せず）からの給水を行い、操作ハンドル２を操作して湯水混合バルブユニット１６を水側に開弁操作した場合と同様に、スパウト４の吐水口４ａから一定の吐水量を吐水することができるため、スパウト４の吐水口４ａからの吐水が行われずに故障と勘違いされることを防ぐことができる。
さらに、給湯源（図示せず）から下側通水路形成部材１０の通湯路１０ａ’への給湯を停止し、操作ハンドル２を操作して湯水混合バルブユニット１６を通過する吐水量を湯側に最大に設定し、スパウト４の吐水口４ａからの吐水が行われている状態で操作ハンドル２を操作して湯水混合バルブユニット１６を水側に開弁したとしても、スパウト４の吐水口４ａで急激に大量の吐水が開始されることを防ぐこともできる。
【００２９】
また、本実施形態による湯水混合水栓装置１によれば、切替バルブ装置１２の切替レバー３０を回動操作してシリンダーバルブ３０の通湯路３０ａを開閉することにより、下側通水路形成部材１０の下流側の通湯路１０ａ’を遮断状態又は非遮断状態に簡単に切り替えことができると共に、通水路形成部材１０の下流側の通湯路１０ａ’が遮断状態である場合には、下側通水路形成部材１０の通水路１０ｂと通水路形成部材１０の下流側の通湯路１０ａ’とをシリンダーバルブ３０の通水路３０ｂにより簡単に接続することができる。
【００３０】
なお、上述した本実施形態の湯水混合水栓装置１の切替バルブ装置１２について、切替レバー３２を回動軸線Ｂの回りに手動で回動操作することにより、シリンダーバルブ３０を回動軸線Ｂの回りに回動させるような形態について説明したが、このような形態に限定されず、切替レバー３２とシリンダーバルブ３０の回動操作については、手動で操作する代わりにモータやコントローラ等を用いて電気的に制御してもよい。
また、下側通水路形成部材１０の通湯路１０ａに用いられる切替バルブについても、シリンダーバルブ３０に限定されず、下側通水路形成部材１０の通湯路１０ａを開閉する電磁弁を用いてもよい。
さらに、下側通水路形成部材１０の通湯路１０ａにシリンダーバルブ３０を設ける代わりに押しボタン等による押圧操作により下側通水路形成部材１０の通湯路１０ａを開閉する開閉弁を設けてもよい。
【符号の説明】
【００３１】
１      湯水混合水栓装置
２      操作ハンドル（シングルレバー操作部）
２ａ    軸受部
４      スパウト
４ａ    吐水口
４ｂ    カバー部（カバー部材）
４ｃ    流入口
６      カウンター
８      台座部材
８ａ    通湯孔
８ｂ    通水孔
８ｃ    雌ねじ孔
１０      下側通水路形成部材
１０ａ    通湯路
１０ａ’  通湯路
１０ｂ    通水路
１２    切替バルブ装置（給湯停止手段、切替バルブ）
１４    上側通水路形成部材
１４ａ  通湯路
１４ｂ  通水路
１４ｃ  湯水混合路
１６    湯水混合バルブユニット
１６ａ  湯水混合室
１８    カバー部材
１８ａ  開口部
２０    可動弁体
２２    操作軸部材
２４    ケーシング部材
２６    固定弁体
２８    固定弁体保持部材
２８ａ  通湯路
２８ｂ  通水路
３０    シリンダーバルブ
３０ａ  通湯路
３０ｂ  通水路
３１    回動軸部
３２    切替レバー
【図１】
2013159983.tif 000003
【図２】
2013159983.tif 000004
【図３】
2013159983.tif 000005
【図４】
2013159983.tif 000006
【図５】
2013159983.tif 000007
【図６】
2013159983.tif 000008
【図７】
2013159983.tif 000009